(57)【要約】      （修正有）【課題】畑に生育している芝の地上茎を収穫する芝苗収穫機を提供する。【解決手段】芝苗収穫機１００は、地面上を移動する本体フレーム１と、本体フレーム１に支持され、地面に水平にかつ移動方向ｄ１に対し傾斜した回転軸２と、回転軸２の周面から軸方向に間隔を開けてその半径方向に延出された多数の棒状の縦刃部４ａと、縦刃部４ａの夫々の先端部から水平に延びて地面に生育する芝の地下茎よりも上側の地表部を移動する多数の棒状の横刃部４ｂとを有する。さらに、縦刃部４ａ或いは横刃部４ｂが切り込み後上方へ撥ね上げた地表部の土及び芝の切断片の飛来位置に配置され、芝の切断片が通り抜ける大きさの幅狭の多数の長孔が設けられた衝突装置が備えられる。【選択図】図１
0003176056.tif 000002
【実用新案登録請求の範囲】
【請求項１】
地面上を移動する本体フレームと、
前記本体フレームに支持され、地面に対して水平にかつ前記移動方向に対し傾斜した回転軸と、
該回転軸の周面から軸方向に間隔を開けてその半径方向に延出された多数の棒状の縦刃部と、
前記縦刃部の夫々の先端部から水平に延びて地面に生育する芝の地下茎よりも上側の地表部を移動する多数の棒状の横刃部とを有したことを特徴とする芝苗収穫機。
【請求項２】
前記横刃部は地表部を芝の地下茎に届かない深さ、５ｍｍ程度の深さまで縦方向に切り込むように移動することを特徴とする請求項１記載の芝苗収穫機。
【請求項３】
前記横刃部のそれぞれの移動軌跡の上部を覆うカバーを備えることを特徴とする請求項１又は２記載の芝苗収穫機。
【請求項４】
請求項１の芝苗収穫機において、前記縦刃部或いは横刃部が切り込み後上方へ撥ね上げた前記地表部の土及び芝の切断片の飛来位置に配置され、前記芝の切断片が通り抜ける大きさの幅狭の多数の長孔が設けられた衝突装置とを備えたことを特徴とする芝苗収穫機。
【請求項５】
前記長孔が前記移動方向に沿った多数の縦線部材で形成されていることを特徴とする請求項４記載の芝苗収穫機。
【考案の詳細な説明】
【技術分野】
【０００１】
本考案は、芝の生育した畑から芝の地上茎などからなる芝苗を効率的に収穫することのできる芝苗収穫機に関する。
【背景技術】
【０００２】
芝の生育した畑から芝を間引き、間引いた芝を芝苗として利用することは、例えば特許文献１に開示されている。特許文献1によれば、サッチングリールの取り付けられたグリーンモアを使用することにより、グリーンモアはその刈取り部により芝の葉を地表より高い位置で刈り取り、続いてサッチングリールの針金状要部が芝を引っ掻いて間引く。サッチングリールの針金状要部で掻き出された芝の地上茎などからなる芝苗がグリーンモアで刈られた後に集められて、グリーン造成地に散布される。こうして得られる芝苗はサッチングで引っ掻いて得られるものであるため、縦横に伸びた芝茎が引きちぎられ短かく、また発芽部位に損傷を受けており生育が期待できない。
【０００３】
一方、間引くのではなく、畑から芝を全量収穫する場合には、ソードカッターで畑の芝（ターフ）をマット状に切取り芝マットを結束の上、それを工場に運び、分細機にかけて細断して、７ｃｍを基準に±２ｃｍ程度の長さのスプリグ（小枝）とし、付着した畑土をトロンメル（篩い）にかけて畑土と分離して芝苗を得るのが通常である。
【０００４】
尚、芝生の地面下を一定の幅で、上下に波線の軌跡を描くレーキの刃先が髪を梳かす要領で斜めに鋤いて、一部のほふく茎を切断し雑草を除去する技術が特許文献2に開示されている。この技術によれば、縦横に延びたほふく茎のうちレーキと直交するほふく茎が切断されるものの、他のほふく茎、直立茎は暖簾に腕押し状態となって、雑草のみ除去できるだけである。
【先行技術文献】
【特許文献】
【０００５】
【特許文献１】特開平６−９０６１２号公報
【特許文献２】特許第３７１１８９９号公報（特開２００２−３５４９７８号）
【考案の概要】
【考案が解決しようとする課題】
【０００６】
苗をマット状に切取ってから分細する方法は、畑の表土も一緒に取り去ることになり、このようなマット芝は重量物であって作業は重労働である。また、芝マットを分細機で細断するとき、芝マットは天地関係なく細断されるため、発芽部位に損傷を与えることが避けられない。また、畑土との分離が完全にできないため、ロスが起きる。芝の株は塊として残るため、その後の植付機械に支障が起きるという課題がある。
従って、畑からマット状にして収穫するのではなく、畑から損傷なく直接的に芝苗として収穫できることが望まれるのである。
本考案は、芝苗に対する損傷を抑えて、かつ作業効率よく収穫することを可能とした芝苗収穫機を提供することを目的としている。
【課題を解決するための手段】
【０００７】
上記課題を達成するため、本考案の芝苗収穫機は、地面上を移動する本体フレームと、前記本体フレームに支持され、地面に対して水平にかつ前記移動方向に対し傾斜した回転軸と、該回転軸の周面から軸方向に間隔を開けてその半径方向に延出された多数の棒状の縦刃部と、前記縦刃部の夫々の先端部から水平に延びて地面に生育する芝の地下茎よりも上側の地表部を移動する多数の棒状の横刃部とを有したことを特徴とする。
【考案の効果】
【０００８】
本考案の芝苗収穫機によれば、地下茎よりも上側の地表部を切削することにより、地面に対して水平に延びた横刃部が縦横に地上茎を延ばした芝を、縦方向だけでなく、横方向にも細断するため、削り残しを少なくする。このため、一度芝苗収穫機が通過した箇所に対して２度目の二度細断をする必要が無く、細断した芝を痛ませない。また収穫後に地下茎や、根を有する芝の分げつ部が残存し、これらが再生するため一年に３回程度行えるようになる。
【図面の簡単な説明】
【０００９】
【図１】本考案の第１の実施例である芝苗収穫機の使用状態を上方から見た図である。
【図２】上記芝苗収穫機の使用状態を後方から見た図である。
【図３】上記芝苗収穫機の回転軸の同一半径面を側方から見た図である。
【図４】上記回転軸上の隣接した複数の切断刃体を上方から見た図である。
【図５】芝の形態を示す図である。
【図６】各切断刃体が芝生の床土を切削する様子を側方から見た図である
【図７】切断刃体が床土上層部の水平面上で縦横に交差した地上茎を切断する様子を上方から見た図である。
【図８】本考案の第２の実施例である芝苗収穫機の使用状態を側方から見た図である。
【図９】第２の実施例の芝苗収穫機の使用状態を斜め後方の左側から見た図である。
【図１０】第２の実施例の芝苗収穫機の使用状態を斜め後方の右側から見た図である。
【考案を実施するための形態】
【００１０】
本考案の実施の形態を以下の実施例により詳細に説明する。
【実施例１】
【００１１】
図１は第１の実施例である芝苗収穫機１００の使用状態を上方から見た図、図２は芝苗収穫機１００の使用状態を後方から見た図である。
芝苗収穫機１００は、本体フレーム１、回転軸２及び、回転軸２の軸方向に間隔を開けて固定された多数の棒状の切断刃体３、本体フレーム１を地面上に支持するための一対の支持輪４、４及び、前記回転軸２及び切断刃体３の上方を覆ったカバー５を有している。
本体フレーム１はマストフレーム１ａの下部に伝動ケース１ｂを固定し、伝動ケース１ｂの左右端にサイドケース１ｃ１、サイド板１ｃ２を固定している。マストフレーム１ａは地面上を走行移動する車両６の代表例であるトラクタに既存のリンク機構６ａを介して支持される。リンク機構６ａはトラクタ６の油圧駆動部の作動により本体フレーム１の高さ及び姿勢を制御でき、またトラクタ６の進行方向に対する本体フレーム１の水平面上での向きを決定付けるための位置決め機構６ｂを具備している。この位置決め機構６ｂは手動により操作するもので良い。
【００１２】
回転軸２はサイドケース１ｃ１、サイド板１ｃ２間に回転可能に架設されており、トラクタ６の動力が回転伝達機構ａ１を介して伝達されることにより回転されるようになっている。回転軸２の外周面には多数の切断刃体３が回転軸２の長手軸方向へ適当な間隔を置いて放射状に列設されている。
支持輪４、４は伝動ケース１ｂから後方へ延出された左右一対の棒状の支持アーム４ａ、４ａの後端部に縦軸部４ｂ、４ｂを介して地上面に対して水平に転向自在に装着されている。
【００１３】
図３は回転軸２の同一半径面上の２つの切断刃体３、３を側方から見た図、図４は回転軸２上の隣接した複数の切断刃体３を上方から見た図である。これら図３及び図４に示すように、各切断刃体３は、棒状の形状の中に回転軸２の半径方向の縦刃部３ａと縦刃部３ａの先端部から回転軸２に対して水平に延びた横刃部３ｂとを備えている。図５は芝ｃ１の生育した畑の地面ｂ１の断面図である。芝ｃ１は、地上のほふく茎ｃ３（以下、「地上茎」と称する）、根ｃ４を有する分げつ部ｃ５、地下のほふく茎ｃ２（以下、「地下茎」と称する）を有している。縦刃部３ａは畑の地面ｂ１に生育する芝ｃ１の地下茎ｃ２よりも上側の地表部ｂ２（芝生の床土上層部）を芝ｃ１の地下茎ｃ２に届かない深さまで、好ましくは５ｍｍ程度の深さまで縦方向に切り込むように移動する。そして横刃部３ｂは、芝ｃ１の地下茎ｃ２に届かない深さ範囲内を、好ましくは床土上層部ｂ２において５ｍｍ程度の深さを切り進むように移動する。縦刃部３ａ及び横刃部３ｂの各前縁は切刃として作用する。特に横刃部３ｂの前縁は回転方向後側に逃げ面３ｃを形成されて芝ｃ１の床土上層部ｂ２及び地面上の芝ｃ１の鋭い切り離しを可能とするような先細り状になっている。
【００１４】
この点について既存の代掻き専用ロータリの代掻き爪体と比較すると、代掻き専用ロータリは代掻き爪体の回転半径方向の例えば１０ｃｍ以上の部分が土壌中を移動するように使用される。そして代掻き爪体の先部は土壌表面を叩き均すことを要求されるため、先部の横刃部３ｂに先鋭な切刃は必要とされず実際にも本例の切刃のように先鋭な形状とはされていない。
【００１５】
カバー５は、切断刃体３が床土上層部ｂ２を切削する時に後上方へ撥ね上げた土や芝が飛散して未切削の芝生上に落下するのを抑制するもので、左右のサイドケース１ｃ１及びサイド板１ｃ２に支持されている。
芝苗収穫機１００は、トラクタ６に索引されて畑の芝生上を前進移動する。移動中は、リンク機構６ａは本体フレーム１を前後傾斜及び左右傾斜の許容された状態で任意な一定高さに支持する。したがって、左右の支持輪４、４は畑の芝生の凹凸に倣って上下変位し常に接地した状態となり、回転軸２は芝生の床土表面に沿った状態である。またリンク機構６ａはトラクタ６の前進移動中、本体フレーム１をトラクタ６の左右方向ｄ２に対して３０度〜６０度の範囲内で予め設定された位置決め部材６ｂの位置に対応した角度θ１に傾斜支持される。
【００１６】
回転軸２がトラクタ６の進行方向ｄ１に対応して予め決定された回転方向ｄ３へ回転速度で回転されると、各切断刃体３の先部は進行方向ｄ１の前側から後側へ回転移動して、図５に示す床土上層部ｂ２を切削し地面から切り離す。切削され地面から分離された床土上層部ｂ２には、地上茎ｃ３や、芝ｃ１の分げつ部ｃ５などが含まれる。これら地上茎ｃ３及び分げつ部ｃ５が芝苗をなすものである。
切削され地面から分離された床土片及び芝片は、回転している切断刃体３の横刃部３ｂなどで撥ね飛ばされ、カバー５により落下する。
【００１７】
図６は各切断刃体３が芝生の床土を切削する様子を側方から見た図であり、床土はトラクタの進行方向ｄ１に沿った縦面で切断した状態を示している。本実施例では同一半径面部上に２つの切断刃体３、３が１８０度位相のずれた配置に固定されており、これが回転されることにより、地面は床土上層部ｂ２をトラクタ６の前進速度及び回転軸２の回転速度に対応したピッチｐ１で、そして切断刃体３の高さに対応した深さで切削される。その結果、切断刃体３で切削された地面上には波形の被切削箇所ｂ３が形成される。
【００１８】
同一半径面部上の２つの切断刃体３、３は一回転することにより、傾斜角度θ１で傾斜された回転軸２を中心にして回転されるため、図４Ａに示すように、これら切断刃体３、３に切削された被切削箇所ｂ３のトラクタ６進行方向ｄ１の幅ｅ１は図６中のピッチｐ１と同一の大きさとなる。そしてトラクタ６の進行速度が回転軸２の回転速度に対して適当な大きさであるときは回転軸２の一回転当たりの各切断刃体３による単位切削箇所は未切削箇所の生じないように連続した状態となる。そして回転軸２の傾斜角度θ１が大きいほど、各切断刃体３の一回転当たりの単位切削箇所の左右方向幅（トラクタ６の進行方向ｄ１に直交する方向の幅）は広くなる。その結果、それぞれの同一回転半径面部上の２つの切断刃体３、３による切削箇所は横刃部３ｂの長さと回転軸２長さ方向の切断刃体３の配列ピッチとに関連した大きさの幅ｅ２だけ重複するようになり、この幅ｅ２は回転軸２の傾斜角度θ１に比例する。そして、この幅ｅ２が広いほど、床土上層部ｂ２の未切削箇所の発生の頻度は床土の凹凸に拘わらず抑制され得る。
【００１９】
図４Ｂはトラクタ６の進行方向ｄ１に対する回転軸２の傾斜角度θ１を０度として回転軸２を回転させた状態を上方から見た図である。これによれば回転軸２上の同一半径面上の切断刃体３、３の切削箇所の幅ｅ３は横刃部３ｂの長さにほぼ合致した大きさとなり、隣接した切削箇所の間には未切削部ｆ１が形成されるのであり、この未切削部ｆ１の幅ｅ４は切断刃体３の回転軸２長さ方向の配列ピッチの大きさに対応した大きさとなる。したがって、切断刃体３による床土の切削を未切削箇所が生じないように行うには回転軸２の傾斜角度θ１をトラクタ６の進行速度、回転軸２の回転速度、切断刃体３の形状や各部寸法、及び、切断刃体３の配列などに対応した大きさとすることが必要となるのである。
【００２０】
図７は切断刃体３が床土上層部ｂ２の水平面上に縦横に交差するように繁茂した地上茎ｃ３１，ｃ３２を切断する様子を上方から見た図である。回転軸２の回転中において、回転軸２の傾斜角度θ１だけ傾斜された横刃部３ｂの切刃は床土及び芝を切削するとき、トラクタ６の進行方向ｄ１に沿う地上茎ｃ３１及び、トラクタ６の左右方向ｄ２に沿う地上茎ｃ３２の何れであってもこれを地面上に交差状に打ち付けることができ、それぞれの地上茎ｃ３１、ｃ３２は効果的に叩き切られる。これら幅ｅ１の大きさや、回転軸２上の切断刃体３の配列ピッチの大きさは、切断された地上茎ｃ３中に長さが５ｃｍ〜９ｃｍの範囲内のものが大きな割合で含まれるように決定する。この長さの地上茎ｃ３が芝苗として発芽率が良い。
【００２１】
トラクタ６の一回の往行移動により床土上層部ｂ２を回転軸２の全ての切断刃体３の切削作用幅だけ切削した後は、例えば復行移動時の回転軸２の全ての切断刃体３の切削作用幅を僅かに重複させるようにすることで、任意広さの床土上層部ｂ２は同一場所の複数回切削を要することなく未切削箇所の生じないように効率的に切削される。
なお、図４Ｂに示すように回転軸２を傾斜させることなく床土上層部ｂ２を切削したときは、未切削箇所が生じると共に、横刃部３ｂの切刃が左右方向ｄ２に沿った状態となり左右方向ｄ２に沿う地上茎ｃ３が効果的に切断できなくなる。従って、未切削箇所を全て切削するには回転軸２を同一場所の床土上層部ｂ２上にて２回以上移動させることが必要となってしまう。
【００２２】
上記のように本実施例の芝苗収穫機１００を使用して、畑の必要面積の芝生の床土上層部ｂ２を切削し、床土の切削箇所上に芝片（地上茎ｃ３や、根ｃ４を有する分げつ部ｃ５）を積層させた後は、既存の動力集草機などを使用して該芝片を列状に集積させ、次にこの列状に集積された芝片群を既存の動力吸引収集機などで容器に収容し、調整、精選の後、芝苗として使用する。
【００２３】
一方、芝生の床土上層部ｂ２を切削した後の床土箇所には芝の地下茎ｃ２や深い位置の分げつ部ｃ５などが残存しており、これが生育するため畑の同じ収穫領域からの芝苗の収穫は１年に３回程度行えるようになる。
なお、畑の芝生をマット状の芝苗として収穫した場合には、芝の切り取られた床土箇所に新たな芝が成長するに要する期間は１年程度となり、畑の同じ場所からの芝苗の収穫は１年に１回しか行えない。
この実施例によれば、芝の根茎（地上茎）はほぼ完全に細断される。また芝の根付き分げつ部（塊）も細断されて機械植付けに適したものとなる。また収穫時、畑の凹凸の修正が行われる。さらには有効な雑草の防除作用が得られる。
【実施例２】
【００２４】
図８は本考案の第２の実施例である芝苗収穫機２００の使用状態を側方から見た図、図９は芝苗収穫機２００の使用状態を斜め後方の左側から見た図、図１０は芝苗収穫機２００の使用状態を斜め後方の右側から見た図である。これらの図中、既述の部位と実質的に同一の部位には同一の符号を付すものとする。これらの図８図９及び図１０及び既述の関連した図を参照して以下に説明する。
【００２５】
芝苗収穫機２００は、芝土切削装置２０１と、これの後側に連設された衝突装置２０２とを備えている。芝土切削装置２０１は第１の実施例である芝苗収穫機１００と殆ど同一の構成とされており、異なる点についてのみ、次に説明する。カバー５は実施例１のカバー５の後面部５ａが除去された形状となっており、切断刃体３が切削し床土から分離させた床土上層部ｂ２及びこれに含まれる芝片が斜め後上方へ向けカバー５外方へ撥ね出される構成とされている。左右の支持輪４、４は伝動ケース１ｂから前側へ延出された支持アーム４ａ、４ａの先部に縦軸部４ｂ、４ｂを介して縦軸回りの転向変位自在に装着されている。マスト部１ａの上部はこれから前方へ延出された結合棒ｇ１を介してトラクタ６の後部に枢着されており、この結合棒ｇ１及びリンク機構６ａと関連してトラクタ６の油圧駆動部の作動により本実施例の芝苗収穫機２００の全体が必要に応じて上下移動される構成としている。
【００２６】
衝突装置２０２は、左右一対の板部材からなる被支持部７ａ、７ｂと、該被支持部７ａ、７ｂに結合される処理部８と、処理部８を上下振動させる振動付与手段９と、前記処理部８に残留した被処理物を地面上に落下させる排出手段１０とを備えている。
左右の被支持部７ａ、７ｂはカバー５の対応するサイドケース１ｃ１及びサイド板１ｃ２にボルトを介して固定されており、地面上を走行移動するトラクタ６及び芝土切削装置２０１により牽引される。これら被支持部７ａ、７ｂは前後方向ｄ１の途中箇所を折曲され、回転軸２がトラクタ６の進行方向ｄ１に対して好ましい傾斜角度θ１（例えば４５度）に設定されたとき、それぞれの後部の側面がトラクタ６の進行方向ｄ１に沿うように形成されている。
【００２７】
芝生の床土上層部ｂ２から削り取られた土、及び、これに含まれる芝ｃ１の地上茎ｃ３などの混合した飛来物が後上方に跳ねあげられる。処理部８は、この飛来物の飛来する位置に配置された投入口８ａを有し、投入口８ａの存在範囲以外は壁面部８ｂで包囲されている。壁面部８ｂは下面部８ｂ１、左右の側面部８ｂ２、８ｂ３、及び、後面部８ｃと一体化された上面部８ｄとからなっている。
【００２８】
下面部８ｂ１は、後上方に跳ねあげられた飛来物の多くが到来する位置に配置され、これを処理する。左右の側面部８ｂ２、８ｂ３、及び、後面部８ｃと一体化された上面部８ｄにも飛来物が飛来するが、もっぱら芝片を落として飛散しないようにするためのものである。
【００２９】
下面部８ｂ１は横骨部材１１ａ１、１１ａ２、縦骨部材１１ｂ１、１１ｂ２及び斜め骨部材１１ｃをほぼ水平面に沿うように結合して形成された下面枠を有し、この下面枠の上面の全面にトラクタ６の前後方向ｄ１に沿う多数の縦線部材１２を、切断刃体３により切削され地面から分離された床土上層部ｂ２に含まれる芝片が通過できるピッチで固着した構成している。芝片は長さをもつものであるので、縦線部材１２の間にできる幅狭の長孔を通り抜けるためには、長孔の長さ方向に合致した姿勢で長孔に突入しなければ通り抜けられない。通常は、一旦、長孔の縁に衝突してから姿勢を変えて長孔を通り抜けることになる。これに対して、床土は長孔の縁にぶつかるものは多くはない。芝片の衝突により、芝片は床土より飛行速度が低下し、地表に落ちた時に遅く落ちた芝片が早く落ちた床土の上に堆積する。
【００３０】
斜め骨部材１１ｃは、回転軸２に平行に配置され、最後部の横骨部材１１ａ２はトラクタ６の左右方向ｄ２に沿うように配置されている。左側の側面部８ｂ２は下面部８ｂ１の左端の縦骨部材１１ｂ１から起立された前後の起立骨部材１１ｄ１、１１ｄ２及びこれら起立骨部材１１ｄ１、１１ｄ２の上端に架設された縦骨部材１１ｅ１を介して進行方向ｄ１に沿う多数の縦線部材１２を起立平面上の上下方向へ前記ピッチで固着して形成されている。右側の側面部８ｂ３は下面部８ｂ１の右端の縦骨部材１１ｂ２から起立された前後の起立骨部材１１ｄ３、１１ｄ４、及び、これら起立骨部材１１ｄ３、１１ｄ４の上端に架設された縦骨部材１１ｅ２を介して前後方向ｄ１に沿う多数の縦線部材１２を起立平面上の上下方向へ前記ピッチで固着して形成されている。ここにおいて、右側の側面部８ｂ３は左側の側面部８ｂ２より短く、下面部８ｂ１の左右端の前後方向ｄ１長さに合致している。上面部８ｄは左右の縦骨部材１１ｅ１、１１ｅ２の前端間に架設された斜め骨部材１１ｆ１、及び、左右の縦骨部材１１ｅ１、１１ｅ２の長さ途中間に架設された横骨部材１１ｆ２を介して、前後方向ｄ１に沿う多数の縦線部材１２を水平面に沿うように前記ピッチと同じ間隔で固着され、各縦線部材１２の前部１２ｂを斜め骨部材１１ｆ１よりも前斜め下方へ張り出させて形成されている。上面部８ｄの縦線部材１２を、後部を斜め下後方へ湾曲状に張り出させて後面部８ｃを形成している。したがって投入口８ａの外周縁は下面部８ｂ１、左右の側面部８ｂ２、８ｂ３、及び、上面部８ｄのそれぞれの前端縁で形成される。
【００３１】
下面部８ｂ１を支持した左右の縦骨部材１１ｂ１、１１ｂ２の前端箇所で左右の側面部８ｂ２、８ｂ３の外面側には一対からなる板状のアーム片１３、１３が上方への張り出し状に固着されている。処理部８はこれらアーム片１３、１３及び支点軸１４、１４を介して、その対応する被支持部材７ａ、７ｂに回動可能に結合されている。
【００３２】
振動付与手段９は、下面部８ｂ１を支持した左右の縦骨部材１１ｂ１、１１ｂ２の後寄り位置に下方へ張り出し状に固定された一対の起立支持板１５、１５と、各起立支持板１５、１５に固定された軸受部１６と、これら軸受部１６に回動自在に挿設された横向きの回転支持軸１７と、回転支持軸１７の各端部に固定され下部が接地した板状の四角輪１８とからなっている。被支持部７ａ、７ｂがトラクタ６に牽引されて前進するとき、四角輪１８、１８の接地箇所の半径が不連続的に大小に変化するため、四角輪１８、１８に支持された処理部８に上下振動が付与される。
【００３３】
排出手段１０は、最後部の横骨部材１１ａ２から上方へ延出された上方視Ｖ字形の引上げ部材１９と、マストフレーム１ａの上部前端から引上げ部材１９の真上との間に配置され基端に固着されたアーム部２０及び左右向きの軸部材２１を介してマストフレーム１ａの上部前端に回動自在に結合されたた油圧伸縮シリンダ装置２２と、これの前端の出力端と引上げ部材１９とを結合した連結索２３からなっている。芝土切削装置２０１の支持輪４、４が接地した状態で、油圧伸縮シリンダ装置２２がトラクタ６から供給される油圧により伸張作動されると、処理部８の後部は支点軸１４、１４回りへ自重降下され、左右の四角輪１８、１８は下部が接地した状態となる。これとは逆に、油圧伸縮シリンダ装置２２がトラクタ６から供給される油圧により短縮作動されると、処理部８の後部は支点軸１４、１４回りへ引き上げられ、次第に前下がり傾斜姿勢となり、油圧伸縮シリンダ装置２２の短縮作動量に応じてその傾斜度合いは増大される。該傾斜度合いが大きくなったとき、処理部８内に存在する土塊や芝片は下面部８ｂ１の縦線部材１２上を前方へ滑落し投入口８ａを通じて地面上に落下される。２４は油圧伸縮シリンダ装置２２の長さ途中を支持した受け部材である。
【００３４】
芝苗収穫機２００は、第１の実施例の芝苗収穫機１００の場合と同様に、リンク機構６ａを介してトラクタ６に上下移動自在な状態で牽引される。したがって芝土切削装置２０１は支持輪４、４に支持されて地面上を前進移動する。この過程で、回転支持軸１７及び切断刃体３が回転駆動され、畑で育生された芝生の床土上層部ｂ２を既述したところと同様に切削し、切削された床土及びこれに含まれる芝片は切断刃体３によりカバー５の後面の開口から斜め後上方へ撥ね出される。
【００３５】
一方、衝突装置２０２は被支持部材７ａ、７ｂを介して芝土切削装置２０１に結合されているため、芝土切削装置２０１に追随して前進移動される。そして処理部８は被支持部材７ａ、７ｂに支点軸１４、１４回りの揺動変位自在に結合されているため、支持輪４、４は処理部８などの自重により接地し、処理部８の前進移動により土から回転力を受けて回転し、処理部８に振動を付与する。
処理部８の内方である処理領域内には芝土切削装置２０１の撥ね出した芝片が投入口８ａを通じて飛来し、一旦は下面部８ｂ１に衝突して、その後に姿勢を変え縦線部材１２間の隙間である長孔を通り抜け壁面部８ｂの外方へ落下する。
【００３６】
床土より大きい芝片は下面部８ｂ１に一旦は衝突して速度を落とすが、粒の小さい床土はその殆どが下面部８ｂ１に衝突しないため速度を落とすことなく飛行を継続する。また、芝片に付着した床土は、芝片が下面部８ｂ１に衝突した反動で剥離する。この衝突により生じる飛行速度の相違から、床土成分は芝片よりも早く地面上に落下する。したがって芝苗収穫機２００の通過した後の、切断刃体３で切削された床土上には、芝片が上層に積層した状態になる。
【００３７】
左右の側面部８ｂ２、８ｂ３、及び、後面部８ｃと一体化された上面部８ｄに飛来した飛来物からは、芝片が縦線部材１２に衝突し飛散しない。
このような処理部８による処理が継続されると、処理部８内には壁面部８ｂの透孔を通過しない床土や芝片が残留するようになるが、その量が過大になる前に、トラクタ６の油圧駆動部の操作により、排出手段１０の油圧伸縮シリンダ装置２２を短縮作動させ、処理部８の後部を一時的に引き上げる。これにより処理部８内の残留物は下面部８ｂ１の縦線部材１２上を前方へ滑落し、地面上に排出されるのであり、このような排出が行われる限り、その量が過大となることはない。その他の点は第１の実施例の場合と変わりない。
尚、第２の実施例において、下面部８ｂ１の縦線部材１２により設けられる長孔は、下面部８ｂ１の全長にわたる長さを有しておく必要はなく、必要に応じて区切られているものでもかまわない。
【符号の説明】
【００３８】
１  本体フレーム
２  回転軸
３  切断刃体
３ａ  縦刃部
３ｂ  横刃部
５  カバー
６  トラクタ（車両）
７ａ  被支持部
７ｂ  被支持部
８  処理部
８ａ  投入口
８ｂ  壁面部
９  振動付与手段
１０  排出手段
１２  縦線部材
１００  芝苗収穫機
２００  芝苗収穫機
２０１  芝土切削装置
２０２  衝突装置
【図１】
0003176056.tif 000003
【図２】
0003176056.tif 000004
【図３】
0003176056.tif 000005
【図４】
0003176056.tif 000006
【図５】
0003176056.tif 000007
【図６】
0003176056.tif 000008
【図７】
0003176056.tif 000009
【図８】
0003176056.tif 000010
【図９】
0003176056.tif 000011
【図１０】
0003176056.tif 000012